(57)【要約】【課題】  表示内容を確認し易く、消費電力も低減可能な使用性等に優れた画像処理装置およびその表示装置の制御方法を提供する。【解決手段】  本発明の画像処理装置は、撮像素子により撮影した画像の表示、文字や記号の表示が可能なバックライトを備えた表示装置を有し、表示装置に表示される情報の種類によって、前記バックライトの輝度を制御可能な表示制御装置を備えることを特徴とする。【選択図】        図１
2007013281.tif 000002
【特許請求の範囲】
【請求項１】
撮像素子により撮影した画像の表示、文字や記号の表示が可能なバックライトを備えた表示装置を有する画像処理装置であって、
表示装置に表示される情報の種類によって、前記バックライトの輝度を制御可能な表示制御装置を備えることを特徴とする画像処理装置。
【請求項２】
請求項１に記載の画像処理装置であって、
表示される情報の種類が、画像処理装置の各種モードに対応していることを特徴とする画像処理装置。
【請求項３】
請求項１に記載の画像処理装置であって、
撮像素子により撮影した画像を表示する場合よりも文字や記号を表示する場合のバックライトの輝度を下げることを特徴とする画像処理装置。
【請求項４】
撮像素子により撮影した画像の表示、文字や記号の表示が可能なバックライトを備えた表示装置を有する画像処理装置における表示装置の制御方法であって、
表示装置に表示される情報の種類によって、前記バックライトの輝度を制御することを特徴とする表示装置の制御方法。
【請求項５】
請求項４に記載の表示装置の制御方法であって、
表示される情報の種類が、画像処理装置の各種モードに対応していることを特徴とする表示装置の制御方法。
【請求項６】
請求項４に記載の表示装置の制御方法であって、
撮像素子により撮影した画像を表示する場合よりも文字や記号を表示する場合のバックライトの輝度を下げることを特徴とする表示装置の制御方法。
【発明の詳細な説明】
【技術分野】
【０００１】
本発明は、バックライトを備えた表示装置を有するカメラ等の画像処理装置およびその表示装置の制御方法に関するものである。
【背景技術】
【０００２】
従来技術において、撮影した画像とともに文字や記号を表示する表示装置を備えたカメラ等の画像処理装置が知られている。また、画像を表示するための表示装置と文字や記号を表示するための表示装置を別個に備えたカメラ等の画像処理装置が知られている。
【特許文献１】特開平１１−１６４１８０号公報
【発明の開示】
【発明が解決しようとする課題】
【０００３】
しかしながら、撮影した画像とともに文字や記号を表示する表示装置は、バックライトによる照明が必要になるため、文字や記号の表示であっても消費電力が大きくなるという問題があった。また、省電力のために、画像表示用とは別個にバックライトを備えない反射型液晶等の表示装置に文字や記号を表示する場合は、暗中において表示内容を確認し難いという問題点を有していた。
【０００４】
本発明はかかる実情に鑑み、表示内容を確認し易く、消費電力も低減可能な使用性等に優れた画像処理装置およびその表示装置の制御方法を提供することを目的とする。
【課題を解決するための手段】
【０００５】
本発明の画像処理装置は、撮像素子により撮影した画像の表示、文字や記号の表示が可能なバックライトを備えた表示装置を有し、表示装置に表示される情報の種類によって、前記バックライトの輝度を制御可能な表示制御装置を備えることを特徴とする。
【０００６】
また、本発明の画像処理装置において、表示される情報の種類が、画像処理装置の各種モードに対応していることを特徴とする。
【０００７】
また、本発明の画像処理装置において、撮像素子により撮影した画像を表示する場合よりも文字や記号を表示する場合のバックライトの輝度を下げることを特徴とする。
【０００８】
本発明によれば、文字や記号を表示する場合には、バックライトの輝度を低減させるように制御するため、消費電力の低減が実現され、暗中においても前記表示内容の確認が容易となる。
【発明の効果】
【０００９】
本発明によれば、この種の画像処理装置において、撮像素子により撮影した画像の表示や文字、記号の表示などの表示装置に表示される情報の内容によって、バックライトの輝度を低減させる構成および制御方法をとることにより、消費電力が少なく視認性の良い画像処理装置を実現することが可能となる。
【発明を実施するための最良の形態】
【００１０】
以下、図面を参照して本発明による好適な実施の形態を説明する。
【実施例】
【００１１】
図１は本発明による実施形態における構成例を示す図である。図１において、１００は画像処理装置である。
【００１２】
１２は撮像素子１４への露光量を制御するためのシャッタ、１４は光学像を電気信号に変換する撮像素子である。レンズ３１０に入射した光線は、一眼レフ方式によって絞り３１２、レンズマウント３０６および１０６、ミラー１３０、シャッタ１２を介して導かれ、光学像として撮像素子１４上に結像することができる。
【００１３】
１６は撮像素子１４のアナログ信号出力をデジタル信号に変換するＡ／Ｄ変換器である。
【００１４】
１８は撮像素子１４、Ａ／Ｄ変換器１６、Ｄ／Ａ変換器２６にクロック信号や制御信号を供給するタイミング発生回路であり、メモリ制御回路２２およびシステム制御回路５０により制御される。
【００１５】
２０は画像処理回路であり、Ａ／Ｄ変換器１６からのデータあるいはメモリ制御回路２２からのデータに対して所定の画素補間処理や色変換処理を行う。
【００１６】
また、画像処理回路２０においては必要に応じて、撮像した画像データを用いて所定の演算処理を行い、得られた演算結果に基づいてシステム制御回路５０が露光制御手段４０、測距制御手段４２に対して制御を行うＴＴＬ（スルー・ザ・レンズ）方式のＡＦ（オートフォーカス）処理、ＡＥ（自動露出）処理、ＥＦ（フラッシュ調光）処理を行うことができる。さらに、画像処理回路２０においては、撮像した画像データを用いて所定の演算処理を行い、得られた演算結果に基づいてＴＴＬ方式のＡＷＢ（オートホワイトバランス）処理も行っている。
【００１７】
なお、本実施形態においては、測距手段４２および測光手段４６を専用に備える構成としたため、測距手段４２および測光手段４６を用いてＡＦ処理、ＡＥ処理、ＥＦ処理の各処理を行い、画像処理回路２０を用いたＡＦ処理、ＡＥ処理、ＥＦ処理の各処理を行わない構成としてもよい。あるいは、測距手段４２および測光手段４６を用いて、ＡＦ処理、ＡＥ処理、ＥＦ処理の各処理を行い、さらに画像処理回路２０を用いたＡＦ処理、ＡＥ処理、ＥＦ処理の各処理を行う構成としてもよい。
【００１８】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６のデータが画像処理回路２０、メモリ制御回路２２を介して、あるいはＡ／Ｄ変換器１６のデータが直接メモリ制御回路２２を介して画像表示メモリ２４またはメモリ３０に書き込まれる。
【００１９】
２４は画像表示メモリ、２６はＤ／Ａ変換器、２８はＴＦＴ  ＬＣＤ等から成る表示装置であり、画像表示メモリ２４に書き込まれた表示用の画像データは、Ｄ／Ａ変換器２６を介して表示装置２８により表示される。表示装置２８を用いて撮像した画像データを逐次表示すれば、電子ファインダ機能を実現することが可能である。また、表示装置２８はシステム制御回路５０の指示により、任意に表示内容を変更することができる。
【００２０】
３０は撮影した静止画像や動画像を格納するためのメモリであり、所定枚数の静止画像や所定時間の動画像を格納するのに十分な記憶量を備えている。これにより、複数枚の静止画像を連続して撮影する連射撮影やパノラマ撮影の場合にも、高速かつ大量の画像書込みをメモリ３０に対して行うことが可能となる。また、メモリ３０はシステム制御回路５０の作業領域としても使用することが可能である。
【００２１】
３２は適応離散コサイン変換（ＡＤＣＴ）等により画像データを圧縮伸長する圧縮・伸長回路であり、メモリ３０に格納された画像を読み込んで圧縮処理あるいは伸長処理を行い、処理を終えたデータをメモリ３０に書き込む。
【００２２】
４０は測光手段４６からの測光情報に基づいて、絞り３１２を制御する絞り制御手段３４０と連携しながら、シャッタ１２を制御するシャッタ制御手段である。
【００２３】
４２はＡＦ処理を行うための測距手段であり、レンズ３１０に入射した光線を、一眼レフ方式によって絞り３１２、レンズマウント３０６および１０６、ミラー１３０そして図示しない測距用サブミラーを介して測距手段４２に入射させることにより、光学像として結像された画像の合焦状態を測定することができる。
【００２４】
４６はＡＥ処理を行うための測光手段であり、レンズ３１０に入射した光線を、一眼レフ方式によって絞り３１２、レンズマウント３０６および１０６、ミラー１３０および１３２そして図示しない測光用レンズを介して測光手段４６に入射させることにより、光学像として結像された画像の露出状態を測定することができる。また、測光手段４６は、フラッシュ４８と連携することによりＥＦ処理機能も有するものである。
【００２５】
４８はフラッシュであり、ＡＦ補助光の投光機能、フラッシュ調光機能も有する。
【００２６】
なお、撮像素子１４によって撮像した画像データを、画像処理回路２０によって演算した演算結果に基づき、システム制御回路５０がシャッタ制御手段４０、絞り制御手段３４０、測距制御手段３４２に対して制御を行うビデオＴＴＬ方式を用いて露出制御およびＡＦ制御をすることも可能である。さらに測距手段４２による測定結果と、撮像素子１４によって撮像した画像データを画像処理回路２０によって演算した演算結果とを共に用いてＡＦ制御を行ってもよい。そして、測光手段４６による測定結果と、撮像素子１４によって撮像した画像データを画像処理回路２０によって演算した演算結果とを共に用いて露出制御を行っても構わない。
【００２７】
５０は画像処理装置１００全体を制御するシステム制御回路、５２はシステム制御回路５０の動作用の定数、変数、プログラム等を記憶するメモリである。
【００２８】
システム制御回路５０でのプログラムの実行に応じて、文字、画像、音声等の動作状態やメッセージ等は、表示装置２８に表示される。また、表示装置２８の一部の機能が、光学ファインダ１０４内に設置されている。
【００２９】
表示装置２８の表示内容のうち文字や記号で表示するものとしては、例えばシングルショット／連写撮影表示、セルフタイマ表示、圧縮率表示、記録画素数表示、記録枚数表示、残撮影可能枚数表示、シャッタスピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００および２１０の着脱状態表示、レンズユニット３００の着脱状態表示、通信Ｉ／Ｆ動作表示、日付け・時刻表示、外部コンピュータとの接続状態を示す表示等がある。
【００３０】
また、表示装置２８の表示内容のうち光学ファインダ１０４内に表示するものとしては、例えば合焦表示、撮影準備完了表示、手振れ警告表示、フラッシュ充電表示、フラッシュ充電完了表示、シャッタスピード表示、絞り値表示、露出補正表示、記録媒体書込み動作表示等がある。
【００３１】
さらに、表示装置２８の表示内容のうちＬＥＤ等に表示するものとしては、例えば合焦表示、撮影準備完了表示、手振れ警告表示、手振れ警告表示、フラッシュ充電表示、フラッシュ充電完了表示、記録媒体書込み動作表示、マクロ撮影設定通知表示、二次電池充電状態表示等がある。
【００３２】
そして、表示装置２８の表示内容のうちランプ等に表示するものとしては、例えばセルフタイマ通知ランプ等がある。このセルフタイマ通知ランプは、ＡＦ補助光と共用して用いてもよい。
【００３３】
５６は電気的に消去・記録可能な不揮発性メモリであり、例えばＥＥＰＲＯＭ等が用いられる。
【００３４】
６０、６２、６４および７０は、システム制御回路５０の各種の動作指示を入力するための操作手段であり、スイッチやダイアル、タッチパネル、視線検知によるポインティング、音声認識装置等の単数あるいは複数の組合わせで構成される。
【００３５】
ここで、これらの操作手段の具体的な説明を行う。
【００３６】
６０はモードダイアルスイッチであり、自動撮影モード、プログラム撮影モード、シャッタ速度優先撮影モード、絞り優先撮影モード、マニュアル撮影モード、焦点深度優先（デプス）撮影モード、ポートレート撮影モード、風景撮影モード、接写撮影モード、スポーツ撮影モード、夜景撮影モード、パノラマ撮影モード等の各機能撮影モードを切替え設定することができる。
【００３７】
６２はシャッタスイッチ（ＳＷ１）であり、シャッタボタンの操作途中でＯＮとなり、ＡＦ処理、ＡＥ処理、ＡＷＢ処理、ＥＦ処理等の動作開始を指示する。
【００３８】
６４はシャッタスイッチ（ＳＷ２）であり、シャッタボタンの操作完了でＯＮとなり、撮像素子１２から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００あるいは２１０に画像データを書き込む記録処理という一連の処理の動作開始を指示する。
【００３９】
７０は各種ボタンやタッチパネル等からなる操作部であり、メニューボタン、セットボタン、マクロボタン、マルチ画面再生改ページボタン、フラッシュ設定ボタン、単写／連写／セルフタイマ切替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン、パノラマモード等の撮影および再生を実行する際に各種機能の選択および切替えを設定する選択／切替えボタン、パノラマモード等の撮影および再生を実行する際に各種機能の決定および実行を設定する決定／実行ボタン、撮影直後に撮影した画像データを自動再生するクイックレビュー機能を設定するクイックレビューＯＮ／ＯＦＦスイッチ、ＪＰＥＧ圧縮の圧縮率を選択するためあるいは撮像素子の信号をそのままデジタル化して記録媒体に記録するＣＣＤＲＡＷモードを選択するためのスイッチである圧縮モードスイッチ、再生モード、マルチ画面再生・消去モード、ＰＣ接続モード等の各機能モードを設定することができる再生スイッチ、シャッタスイッチＳＷ１を押したならばオートフォーカス動作を開始し、一旦合焦したならばその合焦状態を保ち続けるワンショットＡＦモードとシャッタスイッチＳＷ１を押している間は連続してオートフォーカス動作を続けるサーボＡＦモードとを設定することができるＡＦモード設定スイッチ等がある。また、上記プラスボタンおよびマイナスボタンの各機能は、回転ダイアルスイッチを備えることによって、より軽快に数値や機能を選択することが可能となる。
【００４０】
６６はバックライトであり、表示装置２８の照明である。バックライト６６の輝度は、バックライト制御部６８によって制御される。バックライト６６の輝度制御方法については後述する。
【００４１】
７２は電源スイッチであり、画像処理装置１００の電源オン／電源オフの各モードを切替え設定することができる。また、画像処理装置１００に接続されたレンズユニット３００、外部ストロボ、記録媒体２００，２１０等の各種付属装置の電源オン／電源オフの設定も合わせて切替え設定することができる。
【００４２】
８０は電源制御手段であり、電池検出回路、ＤＣ−ＤＣコンバータ、通電するブロックを切り替えるスイッチ回路等により構成されており、電池の装着の有無、電池の種類、電池残量の検出を行い、検出結果およびシステム制御回路５０の指示に基づいてＤＣ−ＤＣコンバータを制御し、必要な電圧を必要な期間、記録媒体を含む各部へ供給する。８２はコネクタ、８４はコネクタ、８６はアルカリ電池やリチウム電池等の一次電池やＮｉＣｄ電池やＮｉＭＨ電池、Ｌｉ電池等の二次電池、ＡＣアダプタ等からなる電源手段である。
【００４３】
９０および９４はメモリカードやハードディスク等の記録媒体とのインタフェース、９２および９６はメモリカードやハードディスク等の記録媒体と接続を行うコネクタ、９８はコネクタ９２および／あるいは９６に記録媒体２００あるいは２１０が装着されているか否かを検知する記録媒体着脱検知手段である。
【００４４】
なお、本実施形態では記録媒体を取り付けるインタフェースおよびコネクタを２系統持つものとして説明している。勿論、記録媒体を取り付けるインタフェースおよびコネクタは単数あるいは複数、いずれの系統数を備える構成としても構わない。また、異なる規格のインタフェースおよびコネクタを組み合わせて備える構成としても構わない。インタフェースおよびコネクタとしては、ＰＣＭＣＩＡカードやＣＦ（コンパクトフラッシュ（登録商標））カード等の規格に準拠したものを用いて構成して構わない。
【００４５】
さらに、インタフェース９０および９４、そしてコネクタ９２および９６をＰＣＭＣＩＡカードやＣＦ（コンパクトフラッシュ（登録商標））カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことができる。
【００４６】
１０４は光学ファインダであり、レンズ３１０に入射した光線を、一眼レフ方式によって、絞り３１２、レンズマウント３０６および１０６、ミラー１３０および１３２を介して導き、光学像として結像表示することができる。これにより表示装置２８による電子ファインダ機能を使用することなしに、光学ファインダ１０４のみを用いて撮影を行うことが可能である。また、光学ファインダ１０４内には表示装置２８の一部の機能、例えば合焦表示、手振れ警告表示、フラッシュ充電表示、シャッタスピード表示、絞り値表示、露出補正表示などが設置されている。
【００４７】
１１０は通信手段であり、ＲＳ２３２ＣやＵＳＢ、ＩＥＥＥ１３９４、Ｐ１２８４、ＳＣＳＩ、モデム、ＬＡＮ、無線通信等の各種通信機能を有する。１１２は通信手段１１０により画像処理装置１００を他の機器と接続するコネクタあるいは無線通信の場合はアンテナである。
【００４８】
１２０はレンズマウント１０６内において、画像処理装置１００をレンズユニット３００と接続するためのインタフェース、１２２は画像処理装置１００をレンズユニット３００と電気的に接続するためのコネクタ、１２４はレンズマウント１０６および／あるいはコネクタ１２２にレンズユニット３００が装着されているか否かを検知するレンズ着脱検知手段である。コネクタ１２２は、画像処理装置１００とレンズユニット３００との間で制御信号、状態信号、データ信号等を伝え合うと共に、各種電圧の電流を供給する機能も備えている。また、コネクタ１２２は電気通信のみならず、光通信、音声通信等を伝達する構成としてもよい。
【００４９】
１３０，１３２はミラーであり、レンズ３１０に入射した光線を、一眼レフ方式によって光学ファインダ１０４に導くことができる。なお、ミラー１３２は、クイックリターンミラーの構成としても、ハーフミラーの構成としても、どちらでも構わない。
【００５０】
２００はメモリカードやハードディスク等の記録媒体である。記録媒体２００は、半導体メモリや磁気ディスク等から構成される記録部２０２、画像処理装置１００とのインタフェース２０４、画像処理装置１００と接続を行うためのコネクタ２０６を備えている。２１０はメモリカードやハードディスク等の記録媒体である。記録媒体２１０は、半導体メモリや磁気ディスク等から構成される記録部２１２、画像処理装置１００とのインタフェース２１４、画像処理装置１００と接続を行うためのコネクタ２１６を備えている。
【００５１】
３００は交換レンズタイプのレンズユニットである。３０６はレンズユニット３００を画像処理装置１００と機械的に結合するレンズマウントである。レンズマウント３０６内には、レンズユニット３００を画像処理装置１００と電気的に接続する各種機能が含まれている。３１０は撮影レンズ、３１２は絞りである。
【００５２】
３２０はレンズマウント３０６内において、レンズユニット３００を画像処理装置１００と接続するためのインタフェース、３２２はレンズユニット３００を画像処理装置１００と電気的に接続するコネクタである。コネクタ３２２は、画像処理装置１００とレンズユニット３００との間で制御信号、状態信号、データ信号等を伝え合うと共に、各種電圧の電流を供給される或いは供給する機能も備えている。また、コネクタ３２２は電気通信のみならず、光通信、音声通信等を伝達する構成としてもよい。
【００５３】
３４０は測光手段４６からの測光情報に基づいて、シャッタ１２を制御するシャッタ制御手段４０と連携しながら、絞り３１２を制御する絞り制御手段である。３４２は撮影レンズ３１０のフォーカシングを制御する測距制御手段、３４４は撮影レンズ３１０のズーミングを制御するズーム制御手段である。
【００５４】
３５０はレンズユニット３００全体を制御するレンズシステム制御回路である。レンズシステム制御回路３５０は、動作用の定数、変数、プログラム等を記憶するメモリやレンズユニット３００固有の番号等の識別情報、管理情報、開放絞り値や最小絞り値、焦点距離等の機能情報、現在や過去の各設定値などを保持する不揮発メモリの機能も備えている。
【００５５】
つぎに、図２〜図５を参照して、本発明の実施形態における動作を説明する。図２および図３は、本実施形態の画像処理装置１００の主ルーチンのフローチャートを示す。図２および図３を用いて、画像処理装置１００の動作を説明する。
【００５６】
電池交換等の電源投入により、システム制御回路５０はフラグや制御変数等を初期化し（ステップＳ１０１）、表示装置２８の表示をＯＦＦ状態に初期設定する（ステップＳ１０２）。
【００５７】
システム制御回路５０は、モードダイアル６０の設定位置を判断し、モードダイアル６０が電源ＯＦＦに設定されていたならば（ステップＳ１０３）、各表示部の表示を終了状態に変更する。そして、フラグや制御変数等を含む必要なパラメータや設定値、設定モードを不揮発性メモリ５６に記録し、電源制御手段８０により表示装置２８を含む画像処理装置１００各部の不要な電源を遮断する等の所定の終了処理を行った後（ステップＳ１０４）、ステップＳ１０３に戻る。
【００５８】
モードダイアル６０が撮影モードに設定されていたならば（ステップＳ１０３）、ステップＳ１０５に進む。
【００５９】
システム制御回路５０は、電源制御手段８０により電池等により構成される電源８６の残容量や動作情況が画像処理装置１００の動作に問題があるか否かを判断し（ステップＳ１０５）、問題があるならば表示装置２８を用いて画像や音声により所定の警告表示を行った後に（ステップＳ１０７）、ステップＳ１０３に戻る。
【００６０】
電源８６に問題がないならば（ステップＳ１０５）、システム制御回路５０は記録媒体２００あるいは２１０の動作状態が画像処理装置１００の動作、特に記録媒体に対する画像データの記録再生動作に問題があるか否かを判断する（ステップＳ１０６）。そして、問題があるならば表示装置２８を用いて画像や音声により所定の警告表示を行った後に（ステップＳ１０７）、ステップＳ１０３に戻る。記録媒体２００あるいは２１０の動作状態に問題がないならば（ステップＳ１０６）、画像処理装置１００の各種設定状態の表示内容を設定する（ステップＳ１０８）。
【００６１】
システム制御回路５０は、ステップＳ１０８で設定した表示内容に従って表示装置２８の最適輝度を決定し、バックライト輝度制御部６８によりバックライト６６の輝度を制御し（ステップＳ１０９）、表示装置２８に所定時間の表示を行う（ステップＳ１１０）。このバックライト輝度制御（ステップＳ１０９）の詳細については、図６を用いて後述する。
【００６２】
シャッタスイッチＳＷ１が押されていないならば（ステップＳ１１９）、ステップＳ１０３に戻る。シャッタスイッチＳＷ１が押されたならば（ステップＳ１１９）、システム制御回路５０はシステム制御回路５０の内部メモリ、あるいはメモリ５２に記憶される表示切替えフラグを解除すると共に（ステップＳ１２０）、表示装置２８の表示をＯＦＦ状態に設定して（ステップＳ１２１）、ステップＳ１２２に進む。
【００６３】
システム制御回路５０は、測距処理を行って撮影レンズ３１０の焦点を被写体に合わせ、測光処理を行って絞り値およびシャッタ時間を決定する、測距・測光処理を行い（ステップＳ１２２）、ステップＳ１２３に進む。測光処理において、必要であればフラッシュの設定も行う。この測距・測光処理（ステップＳ１２２）の詳細は、図４を用いて後述する。
【００６４】
シャッタスイッチＳＷ２が押されずに（ステップＳ１２３）、さらにシャッタスイッチＳＷ１も解除されたならば（ステップＳ１２４）、ステップＳ１０３に戻る。シャッタスイッチＳＷ２が押されたならば（ステップＳ１２３）、ステップＳ１２５に進む。
【００６５】
システム制御回路５０は撮像素子１２、Ａ／Ｄ変換器１６、画像処理回路２０およびメモリ制御回路２２を介して、あるいはＡ／Ｄ変換器から直接メモリ制御回路２２を介して、メモリ３０に撮影した画像データを書き込む露光処理およびメモリ制御回路２２そして必要に応じて画像処理回路２０を用いて、メモリ３０に書き込まれた画像データを読み出して各種処理を行う現像処理からなる撮影処理を実行する（ステップＳ１２５）。この撮影処理（ステップＳ１２５）の詳細は図５を用いて後述する。
【００６６】
システム制御回路５０は、メモリ３０の所定領域へ書き込まれた画像データの一部をメモリ制御回路２２を介して読み出す。そして現像処理を行うために必要なＷＢ（ホワイトバランス）積分演算処理、ＯＢ（オプティカルブラック）積分演算処理を行い、演算結果をシステム制御回路５０の内部メモリあるいはメモリ５２に記憶する。
【００６７】
そしてシステム制御回路５０はメモリ制御回路２２、また必要に応じて画像処理回路２０を用いて、メモリ３０の所定領域に書き込まれた撮影画像データを読み出す。そしてシステム制御回路５０の内部メモリあるいはメモリ５２に記憶した演算結果を用いて、ＡＷＢ（オートホワイトバランス）処理、ガンマ変換処理、色変換処理を含む各種現像処理を行う（ステップＳ１２６）。さらに、現像処理においては、ダーク取込み処理において取り込んだダーク画像データを用いて減算処理を行うことにより、撮像素子１４の暗電流ノイズ等を打ち消すダーク補正演算処理も併せて行う。
【００６８】
そしてシステム制御回路５０は、メモリ３０の所定領域に書き込まれた画像データを読み出して、設定したモードに応じた画像圧縮処理を圧縮・伸長回路３２により行い（ステップＳ１２７）、メモリ３０の画像記憶バッファ領域の空き画像部分に、撮影して一連の処理を終えた画像データの書込みを行う。
【００６９】
一連の撮影の実行に伴い、システム制御回路５０は、メモリ３０の画像記憶バッファ領域に記憶した画像データを読み出して、インタフェース９０あるいは９４、コネクタ９２あるいは９６を介して、メモリカードやコンパクトフラッシュ（登録商標）カード等の記録媒体２００あるいは２１０へ書込みを行う記録処理を開始する（ステップＳ１２８）。
【００７０】
この記録開始処理は、メモリ３０の画像記憶バッファ領域の空き画像部分に、撮影して一連の処理を終えた画像データの書込みが新たに行われる度に、その画像データに対して実行される。なお、記録媒体２００あるいは２１０へ画像データの書込みを行っている間、書込み動作中であることを明示するために、表示装置２８による警告表示、ＬＥＤを点滅させる等の記録媒体書込み動作表示を行う。
【００７１】
記録処理（ステップＳ１２８）の終了後、システム制御回路５０は、シャッタスイッチＳＷ１が押されているかどうかを判断する（ステップＳ１２９）。シャッタスイッチＳＷ１が放された状態であったならば（ステップＳ１２９）、ステップＳ１０３に戻る。シャッタスイッチＳＷ１が押された状態であったならば（ステップＳ１２９）、ステップＳ１２９に戻り、ＳＷ１が放されるまで現在の処理を繰り返す。
【００７２】
図４は、図３のステップＳ１２２における測距・測光処理の詳細なフローチャートを示す。なお、測距・測光処理においては、システム制御回路５０と絞り制御手段３４０あるいは測距制御手段３４２との間の各種信号のやり取りは、インタフェース１２０、コネクタ１２２、コネクタ３２２、インタフェース３２０、レンズ制御手段３５０を介して行われる。
【００７３】
システム制御回路５０は、撮像素子１４測距手段４２及び測距制御手段３４２を用いて、ＡＦ（オートフォーカス）処理を開始する（Ｓ２０１）。
【００７４】
システム制御回路５０は、レンズ３１０に入射した光線を、絞り３１２、レンズマウント３０６および１０６、ミラー１３０、図示しない測距用サブミラーを介して、測距手段４２に入射させる。そして、これにより光学像として結像された画像の合焦状態を判断し、測距（ＡＦ）が合焦と判断されるまで（ステップＳ２０３）、測距制御手段３４２を用いてレンズ３１０を駆動しながら、測距手段４２を用いて合焦状態を検出するＡＦ制御を実行する（ステップＳ２０２）。
【００７５】
測距（ＡＦ）が合焦と判断したならば（ステップＳ２０３）、システム制御回路５０は、撮影画面内の複数の測距点の中から合焦した測距点を決定し、決定した測距点データと共に測距データおよび／あるいは設定パラメータをシステム制御回路５０の内部メモリあるいはメモリ５２に記憶し、ステップＳ２０５に進む。
【００７６】
つづいてシステム制御回路５０は、測光手段４６を用いて、ＡＥ（自動露出）処理を開始する（ステップＳ２０５）。
【００７７】
システム制御回路５０は、レンズ３１０に入射した光線を、絞り３１２、レンズマウント３０６および１０６、ミラー１３０および１３２、そして図示しない測光用レンズを介して、測光手段４６に入射させる。そして、これにより光学像として結像された画像の露出状態を測定し、露出（ＡＥ）が適正と判断されるまで（ステップＳ２０７）、露光制御手段４０を用いて測光処理を行う（ステップＳ２０６）。
【００７８】
露出（ＡＥ）が適正と判断したならば（ステップＳ２０７）、システム制御回路５０は、測光データおよび／あるいは設定パラメータをシステム制御回路５０の内部メモリあるいはメモリ５２に記憶し、ステップＳ２０８に進む。
【００７９】
なお、測光処理（ステップＳ２０６）で検出した露出（ＡＥ）結果と、モードダイアル６０によって設定された撮影モードに応じて、システム制御回路５０は、絞り値（Ａｖ値）、シャッタ速度（Ｔｖ値）が決定する。そして、ここで決定したシャッタ速度（Ｔｖ値）に応じて、システム制御回路５０は撮像素子１４の電荷蓄積時間を決定し、等しい電荷蓄積時間で撮影処理およびダーク取込み処理をそれぞれ行う。
【００８０】
測光処理（ステップＳ２０６）で得られた測定データにより、システム制御回路５０はフラッシュが必要か否かを判断し（ステップＳ２０８）、フラッシュが必要ならばフラッシュフラグをセットし、フラッシュ４８の充電が完了するまで（ステップＳ２１０）、フラッシュ４８を充電する（ステップＳ２０９）。フラッシュ４８の充電が完了したならば（ステップＳ２１０）、測距・測光処理ルーチン（ステップＳ１２２）を終了する。
【００８１】
図５は、図３のステップＳ１２５における撮影処理の詳細なフローチャートを示す。なお、撮影処理においては、システム制御回路５０と絞り制御手段３４０あるいは測距制御手段３４２との間の各種信号のやり取りは、インタフェース１２０、コネクタ１２２、コネクタ３２２、インタフェース３２０、レンズ制御手段３５０を介して行われる。
【００８２】
システム制御回路５０は、ミラー１３０を図示しないミラー駆動手段によってミラーアップ位置に移動すると共に（ステップＳ３０１）、システム制御回路５０の内部メモリあるいはメモリ５２に記憶される測光データに従い、絞り制御手段３４０によって絞り３１２を所定の絞り値まで駆動する（ステップＳ３０２）。システム制御回路５０は、撮像素子１４の電荷クリア動作を行った後に（ステップＳ３０３）、撮像素子１４の電荷蓄積を開始した後（ステップＳ３０４）、シャッタ制御手段４０によって、シャッタ１２を開き（ステップＳ３０５）、撮像素子１４の露光を開始する（ステップＳ３０６）。
【００８３】
ここで、フラッシュフラグによりフラッシュ４８が必要か否かを判断し（ステップＳ３０７）、必要な場合はフラッシュを発光させる（ステップＳ３０８）。システム制御回路５０は、測光データに従って撮像素子１４の露光終了を待ち（ステップＳ３０９）、シャッタ制御手段４０によって、シャッタ１２を閉じ（ステップＳ３１０）、撮像素子１４の露光を終了する。
【００８４】
システム制御回路５０は、絞り制御手段３４０によって絞り３１２を開放の絞り値まで駆動すると共に（ステップＳ３１１）、ミラー１３０を図示しないミラー駆動手段によってミラーダウン位置に移動する（ステップＳ３１２）。
【００８５】
設定した電荷蓄積時間が経過したならば（ステップＳ３１３）、システム制御回路５０は、撮像素子１４の電荷蓄積を終了した後（ステップＳ３１４）、撮像素子１４から電荷信号を読み出す。そしてＡ／Ｄ変換器１６、画像処理回路２０、メモリ制御回路２２を介して、あるいはＡ／Ｄ変換器１６から直接メモリ制御回路２２を介して、メモリ３０の所定領域への撮影画像データを書き込む（ステップＳ３１５）。一連の処理を終えたならば、撮影処理ルーチン（ステップＳ１２５）を終了する。
【００８６】
図６は、図２のステップＳ１０９におけるバックライト輝度制御の詳細なフローチャートを示す。
【００８７】
システム制御回路５０は、各種ボタンやタッチパネル等からなる操作部７０によってカメラの設定操作が行われたと判断すると（ステップＳ４０１）、バックライトの輝度を低減させ（ステップＳ４０２）ステップＳ４０５へ進む。カメラの設定操作が行われていない場合は、ステップＳ４０３へ進む。
【００８８】
ステップＳ４０３では、ＢＵＬＢ撮影モードが選択されたかどうか判定し、ＢＵＬＢモードが選択された場合は、バックライトの輝度を低減させ（ステップＳ４０２）ステップＳ４０５へ進む。ＢＵＬＢモードが選択されていない場合は、ステップＳ４０４へ進む。
【００８９】
ステップＳ４０４では、ＭＥＮＵモードが選択されたかどうか判定し、ＭＥＮＵモードが選択された場合は、バックライトの輝度を低減させ（ステップＳ４０２）ステップＳ４０５へ進む。ＭＥＮＵモードが選択されていない場合は、ステップＳ４０５へ進む。
【００９０】
ステップＳ４０５では、表示タイマーの設定がされているかどうか判定し、表示タイマーが設定されている場合は、表示ＯＦＦタイマーの設定を行う（ステップＳ４０６）。ステップＳ１１０の表示時間は、この表示ＯＦＦタイマーによって決定されることになる。一連の処理を終えたならば、バックライト輝度制御ルーチン（ステップＳ１０９）を終了する。
【００９１】
以上、図１を用いて本発明の実施形態の説明を行った。この実施形態の説明においては、ミラー１３０をミラーアップ位置、ミラーダウン位置に移動して撮影動作を行うとして説明したが、ミラー１３０をハーフミラーの構成として、移動せずに撮影動作を行うようにしても問題ない。
【００９２】
なお、記録媒体２００および２１０は、ＰＣＭＣＩＡカードやコンパクトフラッシュ（登録商標）等のメモリカード、ハードディスク等だけでなく、マイクロＤＡＴ、光磁気ディスク、ＣＤ−ＲやＣＤ−ＷＲ等の光ディスク、ＤＶＤ等の相変化型光ディスク等で構成されていても勿論問題ない。また、記録媒体２００および２１０がメモリカードとハードディスク等が一体となった複合媒体であっても勿論よい。さらに、その複合媒体から一部が着脱可能な構成としても勿論問題ない。
【００９３】
そして、本実施形態の説明においては、記録媒体２００および２１０は画像処理装置１００と分離していて任意に接続可能なものとして説明したが、いずれかあるいは全ての記録媒体が画像処理装置１００に固定したままとなっていても勿論問題ない。また、画像処理装置１００に記録媒体２００あるいは２１０が、単数あるいは複数の任意の個数接続可能な構成であってもよい。そして、画像処理装置１００に記録媒体２００および２１０が装着する構成として説明したが、記録媒体は単数あるいは複数のいずれの組み合わせの構成であってもよい。
【００９４】
ここで、上記様々な実施形態に示した各機能ブロックおよび処理手順は、ハードウェアにより構成してもよいし、ＣＰＵあるいはＭＰＵ、ＲＯＭおよびＲＡＭ等からなるマイクロコンピュータシステムによって構成し、その動作をＲＯＭやＲＡＭに格納された作業プログラムに従って実現するようにしてもよい。また、上記各機能ブロックの機能を実現するように当該機能を実現するためのソフトウェアのプログラムをＲＡＭに供給し、そのプログラムに従って上記各機能ブロックを動作させることによって実施したものも、本発明の範疇に含まれる。
【００９５】
この場合、上記ソフトウェアのプログラム自体が上述した各実施形態の機能を実現することになり、そのプログラム自体およびそのプログラムをコンピュータに供給するための手段、例えばかかるプログラムを格納した記録媒体は本発明を構成する。かかるプログラムを記憶する記憶媒体としては、ＲＯＭやＲＡＭの他に例えばフレキシブルディスク、ハードディスク、光ディスク、光磁気ディスク、ＣＤ−ＲＯＭ、ＣＤ−Ｉ、ＣＤ−Ｒ、ＣＤ−ＲＷ、ＤＶＤ、ｚｉｐ、磁気テープあるいは不揮発性のメモリカード等を用いることができる。
【００９６】
また、コンピュータが供給されたプログラムを実行することにより、上述の実施形態の機能が実現されるだけでなく、そのプログラムがコンピュータにおいて稼働しているＯＳ（オペレーティングシステム）あるいは他のアプリケーションソフト等の共同して上述の実施形態の機能が実現される場合にもかかるプログラムは本発明の実施形態に含まれることは言うまでもない。
【００９７】
さらに、供給されたプログラムがコンピュータの機能拡張ボードやコンピュータに接続された機能拡張ユニットに備わるメモリに格納された後、そのプログラムの指示に基づいてその機能拡張ボードや機能拡張ユニットに備わるＣＰＵ等が実際の処理の一部または全部を行い、その処理によって上述した実施形態の機能が実現される場合にも本発明に含まれることは言うまでもない。
【図面の簡単な説明】
【００９８】
【図１】本発明の一実施形態における構成例を示すブロック図である。
【図２】本発明の実施形態における主ルーチンのフローチャートの一部を示す図である。
【図３】本発明の実施形態における主ルーチンのフローチャートの一部を示す図である。
【図４】本発明の実施形態における測距・測光ルーチンのフローチャートである。
【図５】本発明の実施形態における撮影ルーチンのフローチャートである。
【図６】本発明の実施形態におけるバックライト輝度制御ルーチンのフローチャートである。
【符号の説明】
【００９９】
１０  撮影レンズ
１２  シャッタ
１４  撮像素子
１６  Ａ／Ｄ変換器
１８  タイミング発生回路
２０  画像処理回路
２２  メモリ制御回路
２４  画像表示メモリ
２６  Ｄ／Ａ変換器
２８  表示装置
３０  メモリ
３２  画像圧縮・伸長回路
４０  露光制御手段
４２  測距制御手段
４４  ズーム制御手段
４６  バリア制御手段
４８  フラッシュ
５０  システム制御回路
５２  メモリ
５４  表示部
５６  不揮発性メモリ
６０  モードダイアルスイッチ
６２  シャッタスイッチＳＷ１
６４  シャッタスイッチＳＷ２
６６  バックライト
６８  バックライト制御部
７０  操作部
８０  電源制御手段
８２  コネクタ
８４  コネクタ
８６  電源手段
９０  インタフェース
９２  コネクタ
９４  インタフェース
９６  コネクタ
９８  記録媒体着脱検知手段
１００  画像処理装置
１０４  光学ファインダ
１１０  通信手段
１１２  コネクタ（またはアンテナ）
２００  記録媒体
２０２  記録部
２０４  インタフェース
２０６  コネクタ
２１０  記録媒体
２１２  記録部
２１４  インタフェース
２１６  コネクタ
３００  レンズユニット
３０６  レンズマウント
３１０  撮影レンズ
３１２  絞り
３２０  インタフェース
３２２  コネクタ
３４０  露光制御手段
３４２  測距制御手段
３４４  ズーム制御手段
３５０  レンズシステム制御回路
【図１】
2007013281.tif 000003
【図２】
2007013281.tif 000004
【図３】
2007013281.tif 000005
【図４】
2007013281.tif 000006
【図５】
2007013281.tif 000007
【図６】
2007013281.tif 000008